(57)【特許請求の範囲】
【請求項１】
送話面に通話者の音声をひろう外部音通孔が穿孔されるベースケースと、前記ベースケースに取り付けられ、前記ベースケースと共に筐体部を形成するカバーケースと、前記ベースケースにおける送話面に対し傾斜して装着され、両側面に上下方向へ延設される装着リブを有するモジュラージャックと、前記外部音通孔を密閉する空気室とマイクロホン収納凹部とを具えるモジュラーブロックとを具備するハンドセットであって、
前記モジュラーブロックは、モジュラージャックの底面を支持する底部支持面を有する底部支持リブと、モジュラージャックの前記装着リブの前後面を挟み、上下方向に支持するリブ支持面を有する側部支持リブとを有する、モジュラージャックが装着されるジャック保持部を具え、
前記モジュラージャックの装着リブの前面を支持する前記側部支持リブのリブ支持面は少なくとも下抜き金型にて成形されることにより、前記モジュラーブロックは上下抜き金型を用いて成形されることを特徴とするハンドセット。
【発明の詳細な説明】
【０００１】
【発明の属する技術分野】
本発明は、電話機やファクシミリ等の通信機器に組込まれるハンドセットに係り、特にハンドセットにおける送話部の構成に関する。
【０００２】
【従来の技術】
従来、電話機やファクシミリ等の通信機器に組込まれる、送受話に用いられるハンドセットにおける送話部は、図７(ａ)に示すように、通話者の音声をひろうための外部音通孔１０１ｏが送話面１０１ｔに穿孔されるベースケース１０１と、外部音通孔１０１ｏからの音声を集音するための空気室１０２ｋが形成されるモジュラーブロック１０２と、モジュラーブロック１０２内に収納され、該音声を感知するマイクロホン１０３と、カバーケース１０９等によって構成されている。
【０００３】
上記モジュラーブロック１０２はモールド成形される樹脂成形品であり、その下部には、図７(ｂ)に示すように、下方に向い開口される円柱様の空気室１０２ｋが形成され、空気室１０２ｋの上方には中心から偏倚して内部音通孔１０２ｏが穿孔されている。
【０００４】
空気室１０２ｋから内部音通孔１０２ｏを上方に連通して、マイクロホン収納凹部１０２ｒが収納壁１０２ｗが側面を形成し、上方が開口され設けられている。
【０００５】
また、モジュラーブロック１０２の上部には、モジュラーブロック１０２を固定するための所定厚さの一対の固定リブ１０２ｆ1、１０２ｆ2が立設されている。
【０００６】
さらに、モジュラーブロック１０２の上部には、ハンドセット１００の端面１００ｔがデザイン上の斜めの傾斜面を呈するため、この端面１００ｔに沿って傾斜するジャック部１０２ｊが立設されており、ジャック部１０２ｊにはプラグ差し込み口１０２ｓが穿設されている。
【０００７】
上述の部品から構成されるハンドセット１００の組立は、まず、モジュラーブロック１０２の空気室１０２ｋがベースケース１０１の外部音通孔１０１ｏを覆い密閉するように、モジュラーブロック１０２をベースケース１０１上へ載置する。
【０００８】
そして、モジュラーブロック１０２の固定リブ１０２ｆ1、１０２ｆ2の上面に鋼板製のおもり板１０６を当接させてビス１０６ｂを用いておもり板１０６をベースケース１０１へ螺着することによって、おもり板１０６の弾性力を利用してモジュラーブロック１０２をベースケース１０１上へ押圧し、さらに、モジュラーブロック１０２の一部をベースケース１０１へ螺着して、モジュラーブロック１０２をベースケース１０１上へ固定する。
【０００９】
次いで、モジュラーブロック１０２のマイクロホン収納凹部１０２ｒへマイクロホン１０３を挿着し、その上部へ回路基板１０４を載置し回路基板１０４をモジュラーブロック１０２へ固着し、マイクロホン１０３の端子を回路基板１０４上の回路パターンへ半田付けする。
【００１０】
次に、モジュラーブロック１０２のジャック部１０２ｊ内を挿通して設置したリード線１０５ｓの一端部を回路基板１０４上の回路パターンへ半田付けを行うことによって、マイクロホン１０３とリード線１０５ｓを電気的に接続する。
【００１１】
ここで、リード線１０５ｓの他端部には金線１０５ｋが接続されており、金線１０５ｋは、プラグ差し込み口１０２ｓ内に設置されている。
【００１２】
よって、ハンドセット１００の使用に際して、プラグ差し込み口１０２ｓ内へカールコードプラグ(図示せず)が差し込まれることにより、カールコードプラグと金線１０５ｋが接触し、カールコードプラグとマイクロホン１０３が電気的に接続される構成となっている。
【００１３】
最後に、上述した部品を収納し、また、カバーケース１０９のプラグ挿入口１０９ｈによってモジュラーブロック１０２のプラグ差し込み口１０２ｓを外部に露出するように、カバーケース１０９をベースケース１０１へ取り付けることによってハンドセット１００が完成する。
【００１４】
【発明が解決しようとする課題】
ところで、上述のハンドセット１００における送話部は、ハンドセット１００の端面１００ｔがデザイン上の斜めの傾斜面を呈しているので、ベースケース１０１およびカバーケース１０９によって形成されるスペースが限られている。
【００１５】
また、該送話部内に収納されるモジュラーブロック１０２の空気室１０２ｋは、マイクロホン１０３の音響性能を維持するために空気室１０２ｋ外のハンドセット１００の内部に対して密閉構造にする必要があるため、スペースがさらに限定され、空気室１０２ｋの近くに配置されるジャック部１０２ｊは複雑な構造を呈せざるを得ない。
【００１６】
そのため、モジュラーブロック１０２は、図７(ｂ)に示すように、収納壁１０２ｗと一対の固定リブ１０２ｆ1、１０２ｆ2等を成形する金型を矢印Ａ方向へ引き抜き、ジャック部１０２ｊを成形する金型を矢印Ｂ方向へ引き抜き、ジャック部１０２ｊにおけるプラグ差し込み口１０２ｓを成形する金型を矢印Ｃ方向へ引き抜き、空気室１０２ｋを成形する金型を矢印Ｄ方向へ引き抜くことにより成形されている。
【００１７】
上述した如く、モジュラーブロック１０２はジャック部１０２ｊを一体に成形した特殊形状の部品であり、通常の上下抜き金型構造では製造不可能で高価なスライド金型を用いる必要がある。
【００１８】
これに対して、モジュラーブロックと一体にジャック部を成形せず、市販のモジュラージャックを使用する構成を採用しても、ハンドセットのモジュラージャック側の端面１００ｔにはデザイン上の傾斜があるため、この面に合わせてモジュラージャックを斜めに配置しているのでモジュラージャックを受けるモジュラーブロック１０２本体、若しくはマイクロホン収納凹部１０２ｒの形状が複雑になり、金型が高価となっている。
【００１９】
加えて、金型寿命の劣化する無理抜き構造を金型の構造に採用する必要が生じる場合もある。
【００２０】
本発明は上記実状に鑑みて、モジュラーブロックを上下抜き金型構造で成形可能であるとともに低廉な市販標準品のモジュラージャックが使用可能であり、且つ、組立性の良好である製造コストの低いハンドセットを提供することを目的とする。
【００２１】
【課題を解決するための手段】
上記目的を達成するべく、本発明に関わるハンドセットは、送話面に通話者の音声をひろう外部音通孔が穿孔されるベースケースと、ベースケースに取り付けられ、ベースケースと共に筐体部を形成するカバーケースと、ベースケースにおける送話面に対し傾斜して装着され、両側面に上下方向へ延設される装着リブを有するモジュラージャックと、外部音通孔を密閉する空気室とマイクロホン収納凹部とを具えるモジュラーブロックとを具備するハンドセットであって、モジュラーブロックは、モジュラージャックの底面を支持する底部支持面を有する底部支持リブと、モジュラージャックの装着リブの前後面を挟み、上下方向に支持するリブ支持面を有する側部支持リブとを有する、モジュラージャックが装着されるジャック保持部を具え、モジュラージャックの装着リブの前面を支持する側部支持リブのリブ支持面は少なくとも下抜き金型にて成形されることにより、モジュラーブロックは上下抜き金型を用いて成形されることを特徴する。
【００２２】
【発明の実施の形態】
以下、実施例を示す図面に基づいて、本発明を詳細に説明する。
【００２３】
電話機やファクシミリ等の通信機器に組込まれる、送受話に用いられるハンドセットにおける送話部は、図１に示すように、通話者の音声をひろうための外部音通孔１ｏが送話面１ｔに穿孔されたベースケース１と、外部音通孔１ｏからの音声を集音するための空気室２ｋが形成されるモジュラーブロック２、モジュラーブロック２内に収納され、空気室２ｋ内の音声を感知するマイクロホン３、モジュラーブロック２内に装着され、マイクロホン３と電気的に接続される市販標準品であるモジュラージャック８、およびカバーケース９等によって構成されている。
【００２４】
上記ベースケース１はプラスチック成形品であり、送話面１ｔに外部音通孔１ｏが穿孔されるとともに、その内面に、モジュラーブロック２の固定のために、モジュラーブロック２の保持部前壁２ｈｍ前面(後述)が当接するブロック係止リブ１ｒが立設されている。
【００２５】
また、ベースケース１の内面には、モジュラーブロック２の位置決めをするための載置リブ１ｒ2が、モジュラーブロック２における保持部前壁２ｈｍ側を除く底面外周部に近接するように立設されている。
【００２６】
上記モジュラージャック８は、カールコードのプラグ(図示せず)をハンドセット１０の外部よりプラグ連結口８ｂ(後述)へ差し込むことによりカールコードとマイクロホン３とを電気的に接続する機能を果たしている。
【００２７】
モジュラージャック８は、図６に示すように、縦長の直方体形状を呈しており、右側面８ｍに右リブ８ｒ(装着リブ)が、左側面８ｈに左リブ８ｓ(装着リブ)が垂直に突設されている。
【００２８】
モジュラージャック８の前面８ｚにはカールコードのプラグを装着するためのプラグ連結口８ｂが設けられ、また、後面８ｋ上部からは接続のための複数のリード線８ｄが延出している。
【００２９】
上記モジュラーブロック２は、モールド成形される樹脂成形品であり、図３、図４、図５に示すように、その下部には、下方に向い開口される偏平な四角柱様の形状を呈し音声を集音するための空気室２ｋが形成され、空気室２ｋの上方には略中心に内部音通孔２ｏが穿孔されている。
【００３０】
そして、空気室２ｋから内部音通孔２ｏを上方に連通して、円柱状のマイクロホン収納凹部２ｒが収納壁２ｗが側面を形成し、上方が開口される態様で設けられている。
【００３１】
また、モジュラーブロック２の上部には、図１〜図４に示すように、モジュラーブロック２を固定するための所定厚さの一対の固定リブ２ｆ1、２ｆ2が立設されている。
【００３２】
さらに、モジュラーブロック２の上部のハンドセット１０の端面１０ｔ側にはモジュラージャック８を保持するためのジャック保持部２ｈが立設されている。
【００３３】
ジャック保持部２ｈは、保持部右側壁２ｈｒ(側部支持リブ)、保持部左側壁２ｈｓ(側部支持リブ)、保持部前壁２ｈｍ(底部支持リブ)、およびジャック受けリブ２ｕ(底部支持リブ)の壁面により構成され、モジュラーブロック２の中央部側が開口した内空の略四角柱としてモジュラーブロック２上に形成されている。
【００３４】
ジャック保持部２ｈの中央部には、図２、図４、図５に示すように、貫通孔２ｈａが穿設されており、その上部には装着されるモジュラージャック８(図６参照)の右リブ８ｒの右リブ前面８ｒ1を受ける右リブ前面壁２ｈｒ1(リブ支持面)と、モジュラージャック８の左リブ８ｓの左リブ前面８ｓ1を受ける左リブ前面壁２ｈｓ1(リブ支持面)とが下方に向って斜面を形成している。
【００３５】
ジャック保持部２ｈの保持部右側壁２ｈｒには、上記右リブ前面壁２ｈｒ1に加え、装着されるモジュラージャック８の右リブ後面８ｒ3を受ける右リブ後面壁２ｈｒ3(リブ支持面)が、右リブ前面壁２ｈｒ1からモジュラージャック８の右リブ８ｒ前後面間厚さl1の寸法より若干大きく離間し、平行に斜面を形成している。(図６参照)
さらに、ジャック保持部２ｈの保持部右側壁２ｈｒには、装着されるモジュラージャック８の右リブ８ｒの右リブ側面８ｒ2に対向するように右リブ側面壁２ｈｒ2が垂直に形成されている。
【００３６】
これらの右リブ前面壁２ｈｒ1、右リブ側面壁２ｈｒ2、および右リブ後面壁２ｈｒ3が、装着されるモジュラージャック８の右リブ８ｒが勘合される右リブ嵌合孔２ｈｒａを形成している。
【００３７】
また、ジャック保持部２ｈの保持部右側壁２ｈｒの内面である右側面受け面２ｈｒ4は、モジュラージャック８の右側面８ｍを受けるための壁面を形成しており、図２、図４に示すように、その後方部には半円柱状の右側面受け凸部２ｈｒ5が内方に突出して垂直に形成され、モジュラージャック８の右側面８ｍと線接触する形状を呈している。
【００３８】
ジャック保持部２ｈには、上記保持部右側壁２ｈｒに相対向して面対象に保持部左側壁２ｈｓが形成されている。
【００３９】
ジャック保持部２ｈの保持部左側壁２ｈｓには、上記左リブ前面壁２ｈｓ1に加え、装着されるモジュラージャック８の左リブ後面８ｓ3を受ける左リブ後面壁２ｈｓ3(リブ支持面)が、左リブ前面壁２ｈｓ1からモジュラージャック８の左リブ８ｓ前後面間厚さl1の寸法より若干大きく離間し、平行に斜面を形成している。
【００４０】
さらに、ジャック保持部２ｈの保持部左側壁２ｈｓには、装着されるモジュラージャック８の左リブ８ｓの左リブ側面８ｓ2に対向するように左リブ側面壁２ｈｓ2が垂直に形成されている。
【００４１】
これらの左リブ前面壁２ｈｓ1、左リブ側面壁２ｈｓ2、および左リブ後面壁２ｈｓ3が、装着されるモジュラージャック８の左リブ８ｓが勘合される左リブ嵌合孔２ｈｓａを形成している。
【００４２】
また、ジャック保持部２ｈの保持部左側壁２ｈｓの内面である左側面受け面２ｈｓ4は、モジュラージャック８の左側面８ｈを受けるための壁面を形成しており、図２、図４に示すように、その後方部には半円柱状の左側面受け凸部２ｈｓ5が内方に突出して垂直に形成され、モジュラージャック８の左側面８ｈと線接触する形状を呈している。
【００４３】
該左側面受け凸部２ｈｓ5の頂線と前記右側面受け凸部２ｈｒ5の頂線間の寸法は、モジュラージャック８の右側面８ｍと左側面８ｈ間の寸法より若干大きく形成されている。
【００４４】
右側面受け凸部２ｈｒ5と左側面受け凸部２ｈｓ5とをジャック保持部２ｈに設けることにより、モジュラージャック８を嵌合するための適切なモジュラージャック８の側面間寸法(右側面８ｍと左側面８ｈ間の寸法)をジャック保持部２ｈに成形することが可能となる。
【００４５】
そして、モジュラージャック８は、側面部がジャック保持部２ｈの保持部右側壁２ｈｒ、保持部左側壁２ｈｓに当接したり、或いは保持部右側壁２ｈｒ、保持部左側壁２ｈｓとのクリアランスが大き過ぎることなく、円滑にジャック保持部２ｈ内に装着することができる。
【００４６】
また、ジャック保持部２ｈにおける保持部前壁２ｈｍの上面には、装着されるモジュラージャック８の底面８ｔを受ける前壁底面受け面２ｈｍｔ(底部支持面)がモジュラーブロック２の内方に向けて傾斜して形成されている。
【００４７】
一方、ジャック保持部２ｈの保持部右側壁２ｈｒおよび保持部左側壁２ｈｓ間に形成されるジャック受けリブ２ｕには、その上面に装着されるモジュラージャック８の底面８ｔを受けるジャック底面受け面２ｕｔ(底部支持面)と、モジュラージャック８の後面８ｋを受けるジャック後面受け面２ｕｋが互いに直交して形成されている。
【００４８】
ここで、ジャック保持部２ｈの保持部右側壁２ｈｒの右リブ後面壁２ｈｒ3、保持部左側壁２ｈｓの左リブ後面壁２ｈｓ3、保持部前壁２ｈｍの前壁底面受け面２ｈｍｔ、およびジャック受けリブ２ｕのジャック底面受け面２ｕｔとジャック後面受け面２ｕｋとは金型を上方へ抜くことにより成形される。
【００４９】
これに対し、保持部右側壁２ｈｒの右リブ前面壁２ｈｒ1と保持部左側壁２ｈｓの左リブ前面壁２ｈｓ1とは、図２〜図５に示すように、右リブ前面壁２ｈｒ1と左リブ前面壁２ｈｓ1とが配置される貫通孔２ｈａを空気室２ｋに対して上下方向に重畳することなく離して配置することにより、金型を下方へ抜くことにより成形されている。
【００５０】
このように、ジャック保持部２ｈの貫通孔２ｈａを空気室２ｋに対して上下方向に重畳することなく離して配置することにより、貫通孔２ｈａと空気室２ｋとは完全に独立して成形され、空気室２ｋの集音性能は良好に確保される。
【００５１】
さらに、モジュラーブロック２の上部には、図１〜図３に示すように、マイクロホン３とモジュラージャック８とを電気的に結合するための回路基板４をマイクロホン収納凹部２ｒ上に固定するための基板係合リブ２ｋ1、２ｋ2が立設されている。
【００５２】
基板係合リブ２ｋ1の上部外面には回路基板４の係合穴部(図示せず)上面に係合する係合爪２ｋ11が突設され、同様に基板係合リブ２ｋ2の上部外面には回路基板４の係合穴部(図示せず)上面に係合する係合爪２ｋ21が突設されている。
【００５３】
回路基板４は、該係合穴部を基板係合リブ２ｋ1、２ｋ2にそれぞれ挿通し、係合爪２ｋ11、係合爪２ｋ21を回路基板４の上面に係合することによってマイクロホン収納凹部２ｒ上に固定される。
【００５４】
上述した構成のモジュラーブロック２の成形は、前述したように、ジャック保持部２ｈの貫通孔２ｈａを空気室２ｋに対して上下方向に重畳することなく配置することにより、保持部右側壁２ｈｒの右リブ前面壁２ｈｒ1と保持部左側壁２ｈｓの左リブ前面壁２ｈｓ1とを金型を下方へ抜くことにより成形することで、単純な上下抜き金型を用いたモールド成形によって成形可能となる。
【００５５】
なお、上記カバーケース９は、ベースケース１と同様にプラスチック成形品であり、図１に示すように、その送話側端面１０ｔにはプラグ挿入口９ｈが開口されており、外部から装着されるカールコードのプラグを連結するためのモジュラージャック８のプラグ連結口８ｂを外部に露出する。
【００５６】
また、カバーケース９の送話側の内面には、所定の厚さを有するジャック抑えリブ９ｏが下方に突設されており、ジャック抑えリブ９ｏの下面には、モジュラージャック８の上面８ｊを抑えるリブ上抑え面９ｏ1、およびモジュラージャック８の前面８ｚを抑えるリブ前抑え面９ｏ2が形成されている。
【００５７】
次に、上述の部品等から構成されるハンドセット１０の組立について説明する。
【００５８】
まず、図１に示すように、ベースケース１の送話面１ｔの外部音通孔１ｏをモジュラーブロック２の空気室２ｋによって密閉するとともに、モジュラーブロック２における保持部前壁２ｈｍを載置リブ１ｒに当接させて、モジュラーブロック２をベースケース１内の送話部へ載置する。
【００５９】
次いで、ハンドセット１０の重さの矯正用に設けられる鋼板製のおもり部材６の下面を固定リブ２ｆ1、２ｆ2の上面に当接させて固定用ねじ６ｎを用いて螺着し、おもり部材６の弾性力を利用してモジュラーブロック２をベースケース１へ押圧することにより確実に固定する。
【００６０】
そして、マイクロホン３をモジュラーブロック２のマイクロホン収納凹部２ｒへ装着し、次いで回路基板４の係合穴部へ基板係合リブ２ｋ1、２ｋ2をそれぞれ挿通し、係合爪２ｋ11、係合爪２ｋ21を回路基板４上に係合することによって、回路基板４をマイクロホン収納凹部２ｒ上へ固定し、マイクロホン３の端子(図示せず)を回路基板４上の回路パターンへ半田付けする。
【００６１】
次に、モジュラージャック８の右リブ８ｒおよび左リブ８ｓをそれぞれモジュラーブロック２におけるジャック保持部２ｈの右リブ嵌合孔２ｈｒａ、および左リブ嵌合孔２ｈｓａへ嵌合してモジュラージャック８をモジュラーブロック２のジャック保持部２ｈへ嵌入し、モジュラージャック８の底面８ｔを保持部前壁２ｈｍの前壁底面受け面２ｈｍｔおよびジャック受けリブ２ｕのジャック底面受け面２ｕｔとへ当接するとともに、モジュラージャック８の後面８ｋをジャック受けリブ２ｕのジャック後面受け面２ｕｋへ当接することによって、モジュラージャック８をジャック保持部２ｈへ装着する。
【００６２】
次いで、モジュラージャック８のリード線８ｄを回路基板４上の回路パターンへ半田付けを行い、モジュラージャック８とマイクロホン３とを電気的に接続する。
【００６３】
最後に、カバーケース９のプラグ挿入口９ｈを介してモジュラージャック８のプラグ連結口８ｂが外部に露出するように、カバーケース９をベースケース１へ取り付けることによりハンドセット１０が完成する。
【００６４】
上述のハンドセット１０は、利用者がカールコードのプラグをハンドセット１０のプラグ挿入口９ｈを挿通しモジュラージャック８のプラグ連結口８ｂへ差し込むことにより使用に供されるものである。
【００６５】
上述した如く、本発明によれば、市販標準品であるモジュラージャックを装着可能であるモジュラーブロックを金型の単純な上下抜き構造で成形可能となる。
【００６６】
このように、モジュラーブロック成形用の金型は単純な上下抜き構造であるので低価格となり、また、モジュラージャックも市販標準品を使用できることによりその価格も低価格となる。
【００６７】
また、ジャック保持部にモジュラージャックの両側面を挟持する右側面受け凸部と左側面受け凸部とを形成することにより、モジュラージャックをモジュラーブロックのジャック保持部に円滑に装着することができる。
【００６８】
また、モジュラージャックはモジュラーブロックのジャック保持部内に嵌入することによって、モジュラーブロックに装着可能であるので組立性が良好である。
【００６９】
従って、部品コストが低廉で、しかも組立性が良好である製造コストの低いハンドセットが得られる。
【００７０】
なお、上述した実施例においては、電話機やファクシミリ等の通信機器に組込まれるハンドセットを例示しているが、その他の通信機器に組込まれる送受話用ハンドセット或いは送話用のハンドセットにおいても、本発明に関わるハンドセットを有効に適用し得ることは言うまでもない。
【００７１】
【発明の効果】
以上、詳述した如く、本発明に関わるハンドセットは、送話面に通話者の音声をひろう外部音通孔が穿孔されるベースケースと、ベースケースに取り付けられ、ベースケースと共に筐体部を形成するカバーケースと、ベースケースにおける送話面に対し傾斜して装着され、両側面に上下方向へ延設される装着リブを有するモジュラージャックと、外部音通孔を密閉する空気室とマイクロホン収納凹部とを具えるモジュラーブロックと、を具備するハンドセットであって、モジュラーブロックは、モジュラージャックの底面を支持する底部支持面を有する底部支持リブと、モジュラージャックの装着リブの前後面を挟み、上下方向に支持するリブ支持面を有する側部支持リブと、を有する、モジュラージャックが装着されるジャック保持部を具え、モジュラージャックの装着リブの前面を支持する側部支持リブのリブ支持面は少なくとも下抜き金型にて成形されることにより、モジュラーブロックは上下抜き金型を用いて成形されることを特徴する。
【００７２】
本発明に関わるハンドセットによれば、市販標準品であるモジュラージャックを装着可能であるモジュラーブロックを金型の単純な上下抜き構造で成形可能となる。
【００７３】
このように、モジュラーブロック成形用の金型は単純な上下抜き構造であるので低価格となり、また、モジュラージャックも市販標準品を使用できることにより低価格となる。
【００７４】
また、モジュラージャックはモジュラーブロックのジャック保持部内に嵌入することによって、モジュラーブロックに装着可能であるので組立性が良好である。
【００７５】
従って、部品コストが低廉であり、しかも、組立性が良好である製造コストの低いハンドセットが得られる。
【図面の簡単な説明】
【図１】本発明に関わるハンドセットの実施例を示す要部縦断面図。
【図２】本発明に関わるハンドセットの実施例を示すモジュラーブロックの平面図。
【図３】本発明に関わるハンドセットの実施例を示すモジュラーブロックの正面図。
【図４】本発明に関わるハンドセットの実施例のモジュラーブロックを示す図２のＡ−Ａ線断面図。
【図５】本発明に関わるハンドセットの実施例を示すモジュラーブロックの下面図。
【図６】    (ａ)、(ｂ)、(ｃ)は、本発明に関わるハンドセットの実施例のモジュラージャックの正面図、側面図、平面図。
【図７】    (ａ)、(ｂ)は、従来のハンドセットの要部を示す縦断面図、およびモジュラーブロックの縦断面図。
【符号の説明】
１…ベースケース、
１ｏ…外部音通孔、
１ｔ…送話面、
２…モジュラーブロック、
２ｈ…ジャック保持部、
２ｈｍ…保持部前壁(底部支持リブ)、
２ｕ…ジャック受けリブ(底部支持リブ)、
２ｈｍｔ…前壁底面受け面(底部支持面)、
２ｕｔ…ジャック底面受け面(底部支持面)、
２ｈｒ…保持部右側壁(側部支持リブ)、
２ｈｓ…保持部左側壁(側部支持リブ)、
２ｈｒ1…右リブ前面壁(リブ支持面)、
２ｈｒ3…右リブ後面壁(リブ支持面)、
２ｈｓ1…左リブ前面壁(リブ支持面)、
２ｈｓ3…左リブ後面壁(リブ支持面)、
２ｋ…空気室、
２ｒ…マイクロホン収納凹部、
８…モジュラージャック、
８ｒ…右リブ(装着リブ)、
８ｓ…左リブ(装着リブ)、
８ｒ1…右リブ前面(モジュラージャックの装着リブの前面)、
８ｓ1…左リブ前面(モジュラージャックの装着リブの前面)、
８ｒ3…右リブ後面(モジュラージャックの装着リブの後面)、
８ｓ3…左リブ後面(モジュラージャックの装着リブの後面)、
８ｔ…モジュラージャックの底面、
９…カバーケース、
１０…ハンドセット。
【図１】
0004282224.tif 000002
【図２】
0004282224.tif 000003
【図３】
0004282224.tif 000004
【図４】
0004282224.tif 000005
【図５】
0004282224.tif 000006
【図６】
0004282224.tif 000007
【図７】
0004282224.tif 000008